(57)【要約】      （修正有）【課題】胴体の設計を変更することなく、引手をスライダーの前方及び後方に倒した状態に保持することができるスライドファスナー用スライダーを提供する。【解決手段】上翼板２１の上面に設けられる引手取付柱２４を有する胴体２０と、リンク部３１と掴み部３２を有し、胴体２０に対して回動自在に設けられる引手３０と、を備える。引手取付柱２４の中間部２４Ｍの上下方向の肉厚寸法が、引手取付柱２４の前端部２４Ｆ及び後端部２４Ｒの前後方向の肉厚寸法より小さく設定され、リンク部３１の一対の脚部３４に、幅方向内側に向けて突出する凸部３４ａがそれぞれ形成される。引手３０がスライダー１０の前方又は後方に倒れた時に、リンク部３１の軸部３３が引手取付柱２４の前端部２４Ｆ又は後端部２４Ｒの内面と接触すると共に、一対の脚部３４の凸部３４ａが引手取付柱２４の前端部２４Ｆ又は後端部２４Ｒの側面と接触する。【選択図】図１
0003160840.tif 000002
【実用新案登録請求の範囲】
【請求項１】
上下に対向して配置される上翼板（２１）及び下翼板（２２）と、前記上翼板及び前記下翼板を連結する案内柱（２３）と、前記上翼板の上面に設けられる引手取付柱（２４）と、を有する胴体（２０）と、
前記引手取付柱が通されるリンク部（３１）と、前記リンク部の端部に形成される掴み部（３２）と、を有し、前記胴体に対して回動自在に設けられる引手（３０）と、を備え、
前記リンク部は、前記引手取付柱と前記上翼板との間に形成される引手取付空間（２５）に配置される軸部（３３）と、前記軸部の両端部と前記掴み部とを連結する一対の脚部（３４）と、を有するスライドファスナー用スライダー（１０）であって、
前記引手取付柱の中間部（２４Ｍ）の上下方向の肉厚寸法（Ｍｔ）が、前記引手取付柱の前端部（２４Ｆ）及び後端部（２４Ｒ）の前後方向の肉厚寸法（Ｆｔ，Ｒｔ）より小さく設定され、
前記一対の脚部に、前記引手の幅方向内側に向けて突出する凸部（３４ａ）がそれぞれ形成され、
前記引手が前記スライダーの前方又は後方に倒れた時に、前記軸部が前記引手取付柱の前端部又は後端部の内面と接触すると共に、前記一対の脚部の前記凸部が前記引手取付柱の前端部又は後端部の側面と接触することを特徴とするスライドファスナー用スライダー。
【請求項２】
前記掴み部（３２）の前記リンク部（３１）側の端部（３２ｂ）の幅方向略中央部に、前記軸部（３３）に向けて突出する突起部（３５）が更に形成されることを特徴とする請求項１に記載のスライドファスナー用スライダー。
【請求項３】
上下に対向して配置される上翼板（２１）及び下翼板（２２）と、前記上翼板及び前記下翼板を連結する案内柱（２３）と、前記上翼板の上面に設けられる引手取付柱（２４）と、を有する胴体（２０）と、
前記引手取付柱が通されるリンク部（３１）と、前記リンク部の端部に形成される掴み部（３２）と、を有し、前記胴体に対して回動自在に設けられる引手（３０）と、を備え、
前記リンク部は、前記引手取付柱と前記上翼板との間に形成される引手取付空間（２５）に配置される軸部（３３）と、前記軸部の両端部と前記掴み部とを連結する一対の脚部（３４）と、を有するスライドファスナー用スライダー（１０）であって、
前記引手取付柱の中間部（２４Ｍ）の上下方向の肉厚寸法（Ｍｔ）が、前記引手取付柱の前端部（２４Ｆ）及び後端部（２４Ｒ）の前後方向の肉厚寸法（Ｆｔ，Ｒｔ）より小さく設定され、
前記掴み部の前記リンク部側の端部（３２ｂ）の幅方向略中央部に、前記軸部に向けて突出する突起部（３５）が形成され、
前記引手が前記スライダーの前方又は後方に倒れた時に、前記軸部が前記引手取付柱の前端部又は後端部の内面と接触すると共に、前記突起部が前記引手取付柱の前端面（２４Ｆｓ）又は後端面（２４Ｒｓ）と接触することを特徴とするスライドファスナー用スライダー。
【請求項４】
上下に対向して配置される上翼板（２１）及び下翼板（２２）と、前記上翼板及び前記下翼板を連結する案内柱（２３）と、前記上翼板の上面に設けられる引手取付柱（２４）と、を有する胴体（２０）と、
前記引手取付柱が通されるリンク部（３１）と、前記リンク部の端部に形成される掴み部（３２）と、を有し、前記胴体に対して回動自在に設けられる引手（３０）と、を備え、
前記リンク部は、前記引手取付柱と前記上翼板との間に形成される引手取付空間（２５）に配置される軸部（３３）と、前記軸部の両端部と前記掴み部とを連結する一対の脚部（３４）と、を有するスライドファスナー用スライダー（１０）であって、
前記引手取付柱の中間部（２４Ｍ）の上下方向の肉厚寸法（Ｍｔ）が、前記引手取付柱の前端部（２４Ｆ）及び後端部（２４Ｒ）の前後方向の肉厚寸法（Ｆｔ，Ｒｔ）より小さく設定され、
前記引手が前記スライダーの前方又は後方に倒れた時に、前記軸部が前記引手取付柱の前端部又は後端部の内面と接触すると共に、前記掴み部の前記リンク部側の端部（３２ｂ）が前記引手取付柱の前端面（２４Ｆｓ）又は後端面（２４Ｒｓ）と接触することを特徴とするスライドファスナー用スライダー。
【請求項５】
上下に対向して配置される上翼板（２１）及び下翼板（２２）と、前記上翼板及び前記下翼板を連結する案内柱（２３）と、前記上翼板の上面に設けられる引手取付柱（２４）と、を有する胴体（２０）と、
前記引手取付柱が通されるリンク部（３１）と、前記リンク部の端部に形成される掴み部（３２）と、を有し、前記胴体に対して回動自在に設けられる引手（３０）と、を備え、
前記リンク部は、前記引手取付柱と前記上翼板との間に形成される引手取付空間（２５）に配置される軸部（３３）と、前記軸部の両端部と前記掴み部とを連結する一対の脚部（３４）と、を有するスライドファスナー用スライダー（１０）であって、
前記引手取付柱の中間部（２４Ｍ）の上下方向の肉厚寸法（Ｍｔ）が、前記引手取付柱の前端部（２４Ｆ）及び後端部（２４Ｒ）の前後方向の肉厚寸法（Ｆｔ，Ｒｔ）より小さく設定され、
前記一対の脚部に、前記引手の幅方向内側に向けて突出する凸部（３４ａ）がそれぞれ形成され、
前記引手が前記スライダーの前方又は後方に倒れた時に、前記軸部が前記引手取付柱の前端部又は後端部の内面と接触すると共に、前記一対の脚部の前記凸部が前記引手取付柱の前端部又は後端部の側面と外面との境界の角部（２７）に接触することを特徴とするスライドファスナー用スライダー。
【請求項６】
前記一対の脚部（３４）の前記凸部（３４ａ）と対応する位置の幅方向外側面に、前記凸部にばね性を付与するための肉抜き部（３４ｂ）がそれぞれ形成されることを特徴とする請求項１、２、５のいずれか１項に記載のスライドファスナー用スライダー。
【考案の詳細な説明】
【技術分野】
【０００１】
この考案は、スライドファスナー用スライダーに関する。
【背景技術】
【０００２】
現在、スライドファスナー用スライダーは、車のシートやウィンドブレーカーなどのスポーツウェア等に使用されているが、車の振動や運動時の振動などによって引手がぶらつき、胴体と接触して、音を発生させることがある。
【０００３】
そして、このような接触音の発生を防止するため、従来では、引手の穴部と引手取付柱とをスナップ式に係止して引手のぶらつきを防止したスライドファスナー用スライダーが知られている（例えば、特許文献１参照）。
【先行技術文献】
【特許文献】
【０００４】
【特許文献１】実用新案登録第３１３５３４６号公報
【考案の概要】
【考案が解決しようとする課題】
【０００５】
しかしながら、上記特許文献１に記載のスライドファスナー用スライダーでは、引手をスナップ式に係止するための突出部を、胴体の引手取付柱の後端部に設けなければならず、胴体に大きな設計変更が必要であった。
【０００６】
本考案は、上述した事情に鑑みてなされたものであり、その目的は、胴体の設計を変更することなく、引手をスライダーの前方及び後方の少なくとも一方に倒した状態に保持することができるスライドファスナー用スライダーを提供することにある。
【課題を解決するための手段】
【０００７】
本考案の上記目的は、下記の構成により達成される。
（１）上下に対向して配置される上翼板及び下翼板と、上翼板及び下翼板を連結する案内柱と、上翼板の上面に設けられる引手取付柱と、を有する胴体と、引手取付柱が通されるリンク部と、リンク部の端部に形成される掴み部と、を有し、胴体に対して回動自在に設けられる引手と、を備え、リンク部は、引手取付柱と上翼板との間に形成される引手取付空間に配置される軸部と、軸部の両端部と掴み部とを連結する一対の脚部と、を有するスライドファスナー用スライダーであって、引手取付柱の中間部の上下方向の肉厚寸法が、引手取付柱の前端部及び後端部の前後方向の肉厚寸法より小さく設定され、一対の脚部に、引手の幅方向内側に向けて突出する凸部がそれぞれ形成され、引手がスライダーの前方又は後方に倒れた時に、軸部が引手取付柱の前端部又は後端部の内面と接触すると共に、一対の脚部の凸部が引手取付柱の前端部又は後端部の側面と接触することを特徴とするスライドファスナー用スライダー。
（２）掴み部のリンク部側の端部の幅方向略中央部に、軸部に向けて突出する突起部が更に形成されることを特徴とする（１）に記載のスライドファスナー用スライダー。
（３）上下に対向して配置される上翼板及び下翼板と、上翼板及び下翼板を連結する案内柱と、上翼板の上面に設けられる引手取付柱と、を有する胴体と、引手取付柱が通されるリンク部と、リンク部の端部に形成される掴み部と、を有し、胴体に対して回動自在に設けられる引手と、を備え、リンク部は、引手取付柱と上翼板との間に形成される引手取付空間に配置される軸部と、軸部の両端部と掴み部とを連結する一対の脚部と、を有するスライドファスナー用スライダーであって、引手取付柱の中間部の上下方向の肉厚寸法が、引手取付柱の前端部及び後端部の前後方向の肉厚寸法より小さく設定され、掴み部のリンク部側の端部の幅方向略中央部に、軸部に向けて突出する突起部が形成され、引手がスライダーの前方又は後方に倒れた時に、軸部が引手取付柱の前端部又は後端部の内面と接触すると共に、突起部が引手取付柱の前端面又は後端面と接触することを特徴とするスライドファスナー用スライダー。
（４）上下に対向して配置される上翼板及び下翼板と、上翼板及び下翼板を連結する案内柱と、上翼板の上面に設けられる引手取付柱と、を有する胴体と、引手取付柱が通されるリンク部と、リンク部の端部に形成される掴み部と、を有し、胴体に対して回動自在に設けられる引手と、を備え、リンク部は、引手取付柱と上翼板との間に形成される引手取付空間に配置される軸部と、軸部の両端部と掴み部とを連結する一対の脚部と、を有するスライドファスナー用スライダーであって、引手取付柱の中間部の上下方向の肉厚寸法が、引手取付柱の前端部及び後端部の前後方向の肉厚寸法より小さく設定され、引手がスライダーの前方又は後方に倒れた時に、軸部が引手取付柱の前端部又は後端部の内面と接触すると共に、掴み部のリンク部側の端部が引手取付柱の前端面又は後端面と接触することを特徴とするスライドファスナー用スライダー。
（５）上下に対向して配置される上翼板及び下翼板と、上翼板及び下翼板を連結する案内柱と、上翼板の上面に設けられる引手取付柱と、を有する胴体と、引手取付柱が通されるリンク部と、リンク部の端部に形成される掴み部と、を有し、胴体に対して回動自在に設けられる引手と、を備え、リンク部は、引手取付柱と上翼板との間に形成される引手取付空間に配置される軸部と、軸部の両端部と掴み部とを連結する一対の脚部と、を有するスライドファスナー用スライダーであって、引手取付柱の中間部の上下方向の肉厚寸法が、引手取付柱の前端部及び後端部の前後方向の肉厚寸法より小さく設定され、一対の脚部に、引手の幅方向内側に向けて突出する凸部がそれぞれ形成され、引手がスライダーの前方又は後方に倒れた時に、軸部が引手取付柱の前端部又は後端部の内面と接触すると共に、一対の脚部の凸部が引手取付柱の前端部又は後端部の側面と外面との境界の角部に接触することを特徴とするスライドファスナー用スライダー。
（６）一対の脚部の凸部と対応する位置の幅方向外側面に、凸部にばね性を付与するための肉抜き部がそれぞれ形成されることを特徴とする（１）、（２）、（５）のいずれかに記載のスライドファスナー用スライダー。
【考案の効果】
【０００８】
本考案のスライドファスナー用スライダーによれば、引手取付柱の中間部の上下方向の肉厚寸法が、引手取付柱の前端部及び後端部の前後方向の肉厚寸法より小さく設定され、一対の脚部に、引手の幅方向内側に向けて突出する凸部がそれぞれ形成され、引手がスライダーの前方又は後方に倒れた時に、軸部が引手取付柱の前端部又は後端部の内面と接触すると共に、一対の脚部の凸部が引手取付柱の前端部又は後端部の側面と接触するため、胴体の設計を変更することなく、引手をスライダーの前方及び後方に倒した状態に保持することができる。
【図面の簡単な説明】
【０００９】
【図１】本考案に係るスライドファスナー用スライダーの第１実施形態の引手を後方に倒した状態の平面図である。
【図２】図１に示すスライドファスナー用スライダーの引手を幅方向中央で切断した状態の側面図である。
【図３】図１に示すスライドファスナー用スライダーの引手を前方に倒した状態の平面図である。
【図４】図２に示すスライドファスナー用スライダーの引手を前方に倒した状態の側面図である。
【図５】図２に示すスライドファスナー用スライダーの引手を起こした状態の側面図である。
【図６】図５に示す引手を起こした状態のスライドファスナー用スライダーの正面図である。
【図７】図１に示す引手の斜視図である。
【図８】図１に示すスライドファスナー用スライダーの引手を胴体の引手挿入口に挿入する状態を説明する側面図である。
【図９】本考案に係るスライドファスナー用スライダーの第２実施形態の引手を後方に倒した状態の平面図である。
【図１０】図９に示すスライドファスナー用スライダーの引手を前方に倒した状態の平面図である。
【図１１】本考案に係るスライドファスナー用スライダーの第３実施形態の引手を後方に倒した状態の平面図である。
【図１２】図１１に示すスライドファスナー用スライダーの引手を前方に倒した状態の平面図である。
【図１３】本考案に係るスライドファスナー用スライダーの第４実施形態の引手を後方に倒した状態の平面図である。
【図１４】図１３に示すスライドファスナー用スライダーの引手を前方に倒した状態の平面図である。
【図１５】本考案に係るスライドファスナー用スライダーの第５実施形態の引手を後方に倒した状態の平面図である。
【図１６】図１５に示すスライドファスナー用スライダーの引手を前方に倒した状態の平面図である。
【考案を実施するための形態】
【００１０】
以下、本考案に係るスライドファスナー用スライダーの各実施形態について、図面に基づいて詳細に説明する。なお、各実施形態において、スライダーの前後方向とは、スライダーの摺動方向に平行な方向であり、スライドファスナーにおいて左右のエレメントを噛合させるときに摺動させる方向を前方とし、左右のエレメントを解離させるときに摺動させる方向を後方とする。また、スライダーの上下方向とは、スライドファスナーを構成した際のファスナーテープの表裏方向と同じ方向をいう。また、スライダーの左右方向とは、スライドファスナーを構成した際のファスナーテープ面に平行、且つ、スライダー前後方向に対して直角な方向をいう。また、左右方向は幅方向ともいう。
【００１１】
（第１実施形態）
まず、図１〜図８を参照して、本考案に係るスライドファスナー用スライダーの第１実施形態について説明する。
【００１２】
本実施形態のスライドファスナー用スライダー１０は、図１及び図２に示すように、不図示の左右一対のファスナーテープのエレメントが挿通される胴体２０と、胴体２０に対して回動自在に設けられる引手３０と、を備える。
【００１３】
胴体２０は、図１及び図２に示すように、上翼板２１と、上翼板２１と離間して平行に配置される下翼板２２と、上翼板２１及び下翼板２２を前端部において連結する案内柱２３と、上翼板２１の上面の前端部から後方に向けて延びる片持形状の引手取付柱２４と、下翼板２２の後部側の左右両側縁から上翼板２１に向けて立設される左右のフランジ２２ａと、を備える。これにより、胴体２０の前部には、案内柱２３により分離された左右の肩口２０ａが形成されると共に、胴体２０の後部には、後口２０ｂが形成されている。また、上翼板２１と下翼板２２との間には、左右の肩口２０ａと後口２０ｂとを連通するＹ字形状のエレメント案内路２０ｃが設けられており、このエレメント案内路２０ｃは、スライドファスナーを構成したときに、左右のエレメントを挿通させる通路となる。
【００１４】
また、本実施形態では、図２に示すように、引手取付柱２４の中間部２４Ｍの上下方向の肉厚寸法Ｍｔは、片持形状の引手取付柱２４の固定端側である前端部２４Ｆの前後方向の肉厚寸法Ｆｔ、及び片持形状の引手取付柱２４の自由端側である後端部２４Ｒの前後方向の肉厚寸法Ｒｔより小さく設定される。また、前端部２４Ｆの肉厚寸法Ｆｔは後端部２４Ｒの肉厚寸法Ｒｔに比べて厚く設定されているが、同一に設定されてもよい。
【００１５】
引手３０は、図１、図２、及び図７に示すように、引手取付柱２４が通されるリンク部３１と、リンク部３１の後端部に形成される掴み部３２と、を備える。リンク部３１は、引手取付柱２４と上翼板２１の上面との間に形成される引手取付空間２５に配置される軸部３３と、軸部３３の両端部と掴み部３２との間を連結する一対の脚部３４と、を有する。また、掴み部３２には矩形状の貫通穴３２ａが形成されている。
【００１６】
また、図８に示すように、引手取付柱２４の後端部２４Ｒと上翼板２１との間には、引手３０の軸部３３を挿入させる引手挿入口２６が形成されており、この引手挿入口２６を介して引手取付空間２５に引手３０の軸部３３を挿入させた後、後端部２４Ｒを下方に押圧して、引手取付柱２４を前端部２４Ｆを中心にかしめて、引手挿入口２６を閉じることにより、引手３０が胴体２０に回動自在に取り付けられる。
【００１７】
また、図７及び図８に示すように、引手３０の軸部３３の幅方向中央部の上下面には、軸部３３の板厚ｔを引手挿入口２６の高さ寸法Ｈより小さくする凹部３３ａがそれぞれ形成されている。これにより、軸部３３を引手挿入口２６に挿入させ易くなるので、スライダー１０の組立て性が向上される。
【００１８】
また、図１、図３、及び図７に示すように、引手３０の一対の脚部３４の幅方向内側面には、幅方向内側に向けて突出し、引手３０が前方又は後方に倒れた時に、引手取付柱２４の前端部２４Ｆ又は後端部２４Ｒの側面と接触する円弧状の凸部３４ａがそれぞれ形成される。また、一対の脚部３４の凸部３４ａと対応する位置の幅方向外側面には、凸部３４ａにばね性を付与するための円弧状の肉抜き部３４ｂがそれぞれ形成される。そして、一対の凸部３４ａにばね性が付与されるため、引手３０が前方又は後方に倒れた時に、一対の凸部３４ａが、引手取付柱２４の前端部２４Ｆ又は後端部２４Ｒの側面に接触して、前端部２４Ｆ又は後端部２４Ｒを挟み込んで、凸部３４ａがその側面を弾性的に押圧する。
【００１９】
また、図１〜図７に示すように、掴み部３２のリンク部３１側の端部３２ｂの幅方向中央部には、軸部３３に向けて突出する突起部３５が形成されている。この突起部３５は、引手３０が前方又は後方に倒れた時に、引手取付柱２４の前端部２４Ｆ又は後端部２４Ｒの外面と隙間を存して対向する。ここで、引手３０が倒れた状態のまま、スライダー１０の前方側又は後方側に移動（引手３０が上翼板２１上を滑るように移動）した場合は、軸部３３と引手取付柱２４の前端部２４Ｆ又は後端部２４Ｒの内面との接触が解除され、さらに、この移動が続けば、一対の凸部３４ａと前端部２４Ｆ又は後端部２４Ｒの側面との接触も解除されることとなる。しかるに、上記突起部３５が存在することにより、突起部３５の先端部が前端部２４Ｆ又は後端部２４Ｒの外面に接触して、引手３０の移動が停止されるので、少なくとも一対の凸部３４ａと前端部２４Ｆ又は後端部２４Ｒの側面との接触状態が維持される。
【００２０】
そして、このように構成されたスライドファスナー用スライダー１０では、図１及び図２に示すように、引手３０が後方に倒されることにより、軸部３３が引手取付柱２４の後端部２４Ｒの内面と接触すると共に、一対の脚部３４の凸部３４ａ，３４ａが引手取付柱２４の後端部２４Ｒの両側面と接触する（両側面を挟持する）ので、引手３０が後方に倒された状態に保持される。また、図３及び図４に示すように、引手３０が前方に倒されることにより、軸部３３が引手取付柱２４の前端部２４Ｆの内面と接触すると共に、一対の脚部３４の凸部３４ａ，３４ａが引手取付柱２４の前端部２４Ｆの両側面と接触する（両側面を挟持する）ので、引手３０が前方に倒された状態に保持される。
【００２１】
また、図５及び図６に示すように、引手３０が起こされることにより、一対の脚部３４の凸部３４ａ，３４ａと引手取付柱２４の前端部２４Ｆ及び後端部２４Ｒの両側面との接触が解除されるので、引手３０を自由に操作することが可能となる。これは、引手取付柱２４の中間部２４Ｍの肉厚寸法Ｍｔが、軸部３３が前端部２４Ｆ又は後端部２４Ｒの内面に接触する点と、凸部３４ａが前端部２４Ｆ又は後端部２４Ｒに接触する点との間の寸法Ｌよりも小さく設定されて（図１参照）いるからである。このため、引手３０が起こされ、軸部３３が中間部２４Ｍの内面と接触する状態において、一対の脚部３４の凸部３４ａ，３４ａが中間部２４Ｍの両側面から離れて無接触状態となり、引手３０が引手取付柱２４に保持されなくなる。
【００２２】
以上説明したように、本実施形態のスライドファスナー用スライダー１０によれば、引手取付柱２４の中間部２４Ｍの上下方向の肉厚寸法Ｍｔが、引手取付柱２４の前端部２４Ｆ及び後端部２４Ｒの前後方向の肉厚寸法Ｆｔ，Ｒｔより小さく設定され、一対の脚部３４に、幅方向内側に向けて突出する凸部３４ａがそれぞれ形成され、引手３０がスライダー１０の前方又は後方に倒れた時に、軸部３３が引手取付柱２４の前端部２４Ｆ又は後端部２４Ｒの内面と接触すると共に、一対の脚部３４の凸部３４ａ，３４ａが引手取付柱２４の前端部２４Ｆ又は後端部２４Ｒの両側面と接触するため、引手３０が、軸部３３及び凸部３４ａ，３４ａの合計３点で保持される。これにより、胴体２０の設計を変更することなく、引手３０をスライダー１０の前方及び後方に倒した状態に保持することができる。
【００２３】
また、本実施形態のスライドファスナー用スライダー１０によれば、引手取付柱２４の後端部２４Ｒと上翼板２１との間に、引手３０の軸部３３を挿入させると共に、引手３０を挿入させた後、引手取付柱２４をかしめることにより閉じられる引手挿入口２６が設けられ、引手３０の軸部３３に、軸部３３の板厚ｔを引手挿入口２６の高さ寸法Ｈより小さくする凹部３３ａが形成されるため、引手３０の軸部３３を引手挿入口２６に挿入させ易くなり、スライダー１０の組立て性を向上することができる。
【００２４】
また、本実施形態のスライドファスナー用スライダー１０によれば、一対の脚部３４の凸部３４ａと対応する位置の幅方向外側面に、肉抜き部３４ｂがそれぞれ形成されるため、凸部３４ａにばね性を付与することができる。これにより、引手３０がスライダー１０の前方又は後方に倒れた時に、一対の脚部３４の凸部３４ａ，３４ａが、引手取付柱２４の前端部２４Ｆ又は後端部２４Ｒの両側面と確実に接触する（両側面を確実に挟持する）ので、引手３０を倒した状態に確実に保持することができる。
【００２５】
（第２実施形態）
次に、図９及び図１０を参照して、本考案に係るスライドファスナー用スライダーの第２実施形態について説明する。なお、第１実施形態と同一又は同等部分については、図面に同一符号を付してその説明を省略或いは簡略化する。
【００２６】
本実施形態では、図９及び図１０に示すように、引手３０がスライダー１０の前方又は後方に倒れた時に、引手３０の軸部３３が引手取付柱２４の前端部２４Ｆ又は後端部２４Ｒの内面と接触し、且つ引手３０の突起部３５の先端部が、引手取付柱２４の前端面２４Ｆｓ又は後端面２４Ｒｓと接触するように、引手３０の突起部３５の長さが設定されている。
【００２７】
また、本実施形態では、引手取付柱２４の前端部２４Ｆの肉厚寸法Ｆｔと後端部２４Ｒの肉厚寸法Ｒｔは同一に設定される。また、前端部２４Ｆの肉厚寸法Ｆｔは後端部２４Ｒの肉厚寸法Ｒｔに比べて厚く設定されていてもよい。この場合、引手３０が前方に倒れた時は、突起部３５がスライダー１０の上方へ向けてそり上がるように弾性変形、もしくは突起部３５が掴み部３２側へ押し込まれるように弾性変形する。
【００２８】
そして、このように構成されたスライドファスナー用スライダー１０では、図９に示すように、引手３０が後方に倒されることにより、軸部３３が引手取付柱２４の後端部２４Ｒの内面と接触し、且つ突起部３５が引手取付柱２４の後端面２４Ｒｓと接触する（後端部２４Ｒの前後面を軸部３３と突起部３５で挟持する）と共に、一対の脚部３４の凸部３４ａ，３４ａが引手取付柱２４の後端部２４Ｒの両側面と接触する（両側面を挟持する）ので、引手３０が後方に倒された状態に保持される。また、図１０に示すように、引手３０が前方に倒されることにより、軸部３３が引手取付柱２４の前端部２４Ｆの内面と接触し、且つ突起部３５が引手取付柱２４の前端面２４Ｆｓと接触する（前端部２４Ｆの前後面を軸部３３と突起部３５で挟持する）と共に、一対の脚部３４の凸部３４ａ，３４ａが引手取付柱２４の前端部２４Ｆの両側面と接触する（両側面を挟持する）ので、引手３０が前方に倒された状態に保持される。また、不図示であるが、引手３０が起こされることにより、軸部３３及び突起部３５と引手取付柱２４の前端部２４Ｆ及び後端部２４Ｒとの接触が解除されると共に、一対の脚部３４の凸部３４ａ，３４ａと引手取付柱２４の前端部２４Ｆ及び後端部２４Ｒの両側面との接触が解除されるので、引手３０を自由に操作することが可能となる。
【００２９】
以上説明したように、本実施形態のスライドファスナー用スライダー１０によれば、引手３０がスライダー１０の前方又は後方に倒れた時に、軸部３３が引手取付柱２４の前端部２４Ｆ又は後端部２４Ｒの内面と接触し、且つ突起部３５が引手取付柱２４の前端面２４Ｆｓ又は後端面２４Ｒｓと接触すると共に、一対の脚部３４の凸部３４ａ，３４ａが引手取付柱２４の前端部２４Ｆ又は後端部２４Ｒの両側面と接触するため、引手３０が、軸部３３、突起部３５、及び凸部３４ａ，３４ａの合計４点で保持される。これにより、胴体２０の設計を変更することなく、引手３０をスライダー１０の前方及び後方に倒した状態に保持することができる。
その他の構成及び作用効果については、上記第１実施形態と同様である。
【００３０】
（第３実施形態）
次に、図１１及び図１２を参照して、本考案に係るスライドファスナー用スライダーの第３実施形態について説明する。なお、第１実施形態と同一又は同等部分については、図面に同一符号を付してその説明を省略或いは簡略化する。
【００３１】
本実施形態では、図１１及び図１２に示すように、上記第１実施形態の引手３０の凸部３４ａ及び肉抜き部３４ｂが削除されており、引手３０がスライダー１０の前方又は後方に倒れた時に、引手３０の軸部３３が引手取付柱２４の前端部２４Ｆ又は後端部２４Ｒの内面と接触すると共に、引手３０の突起部３５の先端部が、引手取付柱２４の前端面２４Ｆｓ又は後端面２４Ｒｓと接触するように、引手３０の突起部３５の長さが設定されている。なお、本実施形態は、突起部３５の先端部が、引手取付柱２４の前端面２４Ｆｓ及び後端面２４Ｒｓの双方に接触するように構成されているが、これに限定されず、突起部３５の先端部が、前端面２４Ｆｓ及び後端面２４Ｒｓのいずれか一方に接触するように構成されていてもよい。
【００３２】
また、本実施形態では、引手取付柱２４の前端部２４Ｆの肉厚寸法Ｆｔと後端部２４Ｒの肉厚寸法Ｒｔは同一に設定される。また、前端部２４Ｆの肉厚寸法Ｆｔは後端部２４Ｒの肉厚寸法Ｒｔに比べて厚く設定されていてもよい。この場合、引手３０が前方に倒れた時は、突起部３５がスライダー１０の上方へ向けてそり上がるように弾性変形、もしくは突起部３５が掴み部３２側へ押し込まれるように弾性変形する。
【００３３】
そして、このように構成されたスライドファスナー用スライダー１０では、図１１に示すように、引手３０が後方に倒されることにより、軸部３３が引手取付柱２４の後端部２４Ｒの内面と接触すると共に、突起部３５が引手取付柱２４の後端面２４Ｒｓと接触する（後端部２４Ｒの前後面を軸部３３と突起部３５で挟持する）ので、引手３０が後方に倒された状態に保持される。また、図１２に示すように、引手３０が前方に倒されることにより、軸部３３が引手取付柱２４の前端部２４Ｆの内面と接触すると共に、突起部３５が引手取付柱２４の前端面２４Ｆｓと接触する（前端部２４Ｆの前後面を軸部３３と突起部３５で挟持する）ので、引手３０が前方に倒された状態に保持される。また、不図示であるが、引手３０が起こされることにより、軸部３３及び突起部３５と引手取付柱２４の前端部２４Ｆ及び後端部２４Ｒとの接触が解除されるので、引手３０を自由に操作することが可能となる。
【００３４】
以上説明したように、本実施形態のスライドファスナー用スライダー１０によれば、引手３０がスライダー１０の前方又は後方に倒れた時に、軸部３３が引手取付柱２４の前端部２４Ｆ又は後端部２４Ｒの内面と接触すると共に、突起部３５が引手取付柱２４の前端面２４Ｆｓ又は後端面２４Ｒｓと接触するため、引手３０が、軸部３３及び突起部３５の合計２点で保持される。これにより、胴体２０の設計を変更することなく、引手３０をスライダー１０の前方及び後方に倒した状態に保持することができる。
その他の構成及び作用効果については、上記第１実施形態と同様である。
【００３５】
（第４実施形態）
次に、図１３及び図１４を参照して、本考案に係るスライドファスナー用スライダーの第４実施形態について説明する。なお、第１実施形態と同一又は同等部分については、図面に同一符号を付してその説明を省略或いは簡略化する。
【００３６】
本実施形態では、図１３及び図１４に示すように、上記第１実施形態の引手３０の凸部３４ａ、肉抜き部３４ｂ、及び突起部３５が削除されており、引手３０がスライダー１０の前方又は後方に倒れた時に、引手３０の軸部３３が引手取付柱２４の前端部２４Ｆ又は後端部２４Ｒの内面と接触すると共に、引手３０の掴み部３２のリンク部３１側の端部３２ｂが引手取付柱２４の前端面２４Ｆｓ又は後端面２４Ｒｓと接触するように、引手３０の一対の脚部３４の長さが設定されている。なお、本実施形態は、掴み部３２の端部３２ｂが、引手取付柱２４の前端面２４Ｆｓ及び後端面２４Ｒｓの双方に接触するように構成されているが、これに限定されず、掴み部３２の端部３２ｂが、前端面２４Ｆｓ及び後端面２４Ｒｓのいずれか一方に接触するように構成されていてもよい。
【００３７】
また、本実施形態では、引手取付柱２４の前端部２４Ｆの肉厚寸法Ｆｔと後端部２４Ｒの肉厚寸法Ｒｔは同一に設定される。また、前端部２４Ｆの肉厚寸法Ｆｔは後端部２４Ｒの肉厚寸法Ｒｔに比べて厚く設定されていてもよい。この場合、引手３０が前方に倒れた時は、掴み部３２の端部３２ｂがスライダー１０の上方へ向けて湾曲して弾性変形、もしくは端部３２ｂが掴み部３２側へ湾曲して弾性変形する。
【００３８】
そして、このように構成されたスライドファスナー用スライダー１０では、図１３に示すように、引手３０が後方に倒されることにより、軸部３３が引手取付柱２４の後端部２４Ｒの内面と接触すると共に、掴み部３２の端部３２ｂが引手取付柱２４の後端面２４Ｒｓと接触する（後端部２４Ｒの前後面を軸部３３と端部３２ｂで挟持する）ので、引手３０が後方に倒された状態に保持される。また、図１４に示すように、引手３０が前方に倒されることにより、軸部３３が引手取付柱２４の前端部２４Ｆの内面と接触すると共に、掴み部３２の端部３２ｂが引手取付柱２４の前端面２４Ｆｓと接触する（前端部２４Ｆの前後面を軸部３３と端部３２ｂで挟持する）ので、引手３０が前方に倒された状態に保持される。また、不図示であるが、引手３０が起こされることにより、軸部３３及び掴み部３２の端部３２ｂと引手取付柱２４の前端部２４Ｆ及び後端部２４Ｒとの接触が解除されるので、引手３０を自由に操作することが可能となる。
【００３９】
以上説明したように、本実施形態のスライドファスナー用スライダー１０によれば、引手３０がスライダー１０の前方又は後方に倒れた時に、軸部３３が引手取付柱２４の前端部２４Ｆ又は後端部２４Ｒの内面と接触すると共に、掴み部３２の端部３２ｂが引手取付柱２４の前端面２４Ｆｓ又は後端面２４Ｒｓと接触するため、引手３０が、軸部３３及び掴み部３２の端部３２ｂの合計２点で保持される。これにより、胴体２０の設計を変更することなく、引手３０をスライダー１０の前方及び後方に倒した状態に保持することができる。
その他の構成及び作用効果については、上記第１実施形態と同様である。
【００４０】
（第５実施形態）
次に、図１５及び図１６を参照して、本考案に係るスライドファスナー用スライダーの第５実施形態について説明する。なお、第１実施形態と同一又は同等部分については、図面に同一符号を付してその説明を省略或いは簡略化する。
【００４１】
本実施形態では、図１５及び図１６に示すように、上記第１実施形態の突起部３５が削除されており、引手３０がスライダー１０の前方又は後方に倒れた時に、引手３０の軸部３３が引手取付柱２４の前端部２４Ｆ又は後端部２４Ｒの内面と接触すると共に、一対の脚部３４の凸部３４ａ，３４ａの基端から先端（頂点）に至るまでの湾曲部分が引手取付柱２４の前端部２４Ｆ又は後端部２４Ｒの側面と外面との間の境界の角部２７，２７に接触するように構成されている。なお、本実施形態は、一対の脚部３４の凸部３４ａ，３４ａが、引手取付柱２４の前端部２４Ｆ及び後端部２４Ｒの双方の角部２７，２７に接触するように構成されているが、これに限定されず、一対の脚部３４の凸部３４ａ，３４ａが、前端部２４Ｆ及び後端部２４Ｒのいずれか一方の角部２７，２７に接触するように構成されていてもよい。
【００４２】
そして、このように構成されたスライドファスナー用スライダー１０では、図１５に示すように、引手３０が後方に倒されることにより、軸部３３が引手取付柱２４の後端部２４Ｒの内面と接触すると共に、一対の脚部３４の凸部３４ａ，３４ａの湾曲部分が引手取付柱２４の後端部２４Ｒの角部２７，２７と接触する（後端部２４Ｒの前後部を軸部３３と凸部３４ａ，３４ａで挟持する）ので、引手３０が後方に倒された状態に保持される。また、図１６に示すように、引手３０が前方に倒されることにより、軸部３３が引手取付柱２４の前端部２４Ｆの内面と接触すると共に、一対の脚部３４の凸部３４ａ，３４ａの湾曲部分が引手取付柱２４の前端部２４Ｆの角部２７，２７と接触する（前端部２４Ｆの前後部を軸部３３と凸部３４ａ，３４ａで挟持する）ので、引手３０が前方に倒された状態に保持される。また、不図示であるが、引手３０が起こされることにより、軸部３３及び一対の脚部３４の凸部３４ａ，３４ａと引手取付柱２４の前端部２４Ｆ及び後端部２４Ｒとの接触が解除されるので、引手３０を自由に操作することが可能となる。
【００４３】
以上説明したように、本実施形態のスライドファスナー用スライダー１０によれば、引手３０がスライダー１０の前方又は後方に倒れた時に、軸部３３が引手取付柱２４の前端部２４Ｆ又は後端部２４Ｒの内面と接触すると共に、一対の脚部３４の凸部３４ａ，３４ａが引手取付柱２４の前端部２４Ｆ又は後端部２４Ｒの角部２７，２７と接触するため、引手３０が、軸部３３及び凸部３４ａ，３４ａの合計３点で保持される。これにより、胴体２０の設計を変更することなく、引手３０をスライダー１０の前方及び後方に倒した状態に保持することができる。
その他の構成及び作用効果については、上記第１実施形態と同様である。
【符号の説明】
【００４４】
１０      スライドファスナー用スライダー
２０      胴体
２１      上翼板
２２      下翼板
２３      案内柱
２４      引手取付柱
２４Ｆ    引手取付柱の前端部
２４Ｍ    引手取付柱の中間部
２４Ｒ    引手取付柱の後端部
２４Ｆｓ  引手取付柱の前端面
２４Ｒｓ  引手取付柱の後端面
Ｆｔ      引手取付柱の前端部の前後方向の肉厚寸法
Ｍｔ      引手取付柱の中間部の上下方向の肉厚寸法
Ｒｔ      引手取付柱の後端部の前後方向の肉厚寸法
２５      引手取付空間
２６      引手挿入口
２７      角部
Ｈ      引手挿入口の高さ寸法
３０      引手
３１      リンク部
３３      軸部
３３ａ    凹部
ｔ      軸部の板厚
３４      脚部
３４ａ    凸部
３４ｂ    肉抜き部
３２      掴み部
３２ｂ    掴み部のリンク部側の端部
３５      突起部
【図１】
0003160840.tif 000003
【図２】
0003160840.tif 000004
【図３】
0003160840.tif 000005
【図４】
0003160840.tif 000006
【図５】
0003160840.tif 000007
【図６】
0003160840.tif 000008
【図７】
0003160840.tif 000009
【図８】
0003160840.tif 000010
【図９】
0003160840.tif 000011
【図１０】
0003160840.tif 000012
【図１１】
0003160840.tif 000013
【図１２】
0003160840.tif 000014
【図１３】
0003160840.tif 000015
【図１４】
0003160840.tif 000016
【図１５】
0003160840.tif 000017
【図１６】
0003160840.tif 000018